(57)【要約】      （修正有）【課題】信号伝達の品質を確保し、良好な電気特性を有する接地効果を有する電気コネクタを提供する。【解決手段】接地効果を有する電気コネクタ２０は、内スリーブ２１、外スリーブ３０、ナット４０及びＣ字型接触バネ５０を備え、ケーブル６０をインタフェースコネクタがネジ部である電子装置に機械的及び電気的に接続する。ケーブル６０は、内導体６１と、内導体６１を覆う絶縁体６２と、絶縁体６２の周囲に配置される少なくとも１つの外導体６３と、外導体６３を覆う外皮６４と、を有する。内スリーブ２１及び外スリーブ３０は同軸状に中空を有し、内スリーブ２１は、ケーブル６０の内導体６１及び絶縁体６２を収容し、外スリーブ３０は、ケーブル６０の外導体６３及び外皮６４を収容し、内スリーブ２１は、前端に設けられた外凸縁と、インタフェース部と、外凸縁とインタフェース部との間に位置するテーパー部２５と、後端延伸部２６と、を有する。【選択図】図４Ａ
0003168264.tif 000002
【実用新案登録請求の範囲】
【請求項１】
内スリーブ、外スリーブ、ナット及びＣ字型接触バネを備え、ケーブルをインタフェースコネクタがネジ部である電子装置に機械的及び電気的に接続する接地効果を有する電気コネクタであって、
前記ケーブルは、内導体と、前記内導体を覆う絶縁体と、前記絶縁体の周囲に配置される少なくとも１つの外導体と、前記外導体を覆う外皮と、を有し、
前記内スリーブ及び前記外スリーブは同軸状に中空を有し、前記内スリーブは、前記ケーブルの前記内導体及び前記絶縁体を収容し、前記外スリーブは、前記ケーブルの前記外導体及び前記外皮を収容し、前記内スリーブは、前端に設けられた外凸縁と、インタフェース部と、前記外凸縁と前記インタフェース部との間に位置するテーパー部と、後端延伸部と、を有し、
前記ナットは、回転方式で前記電子装置のネジ部である前記インタフェースコネクタに螺着され、前記ナットの末端には内凸縁が設けられ、前記内凸縁には前記内スリーブの前記テーパー部の周囲に配置されるテーパー孔が設けられ、
前記Ｃ字型接触バネは、前記内スリーブの前記テーパー部の周囲で上下に変位し、前記内スリーブと前記ナットとの接触を維持し、良好な接地性能を有することを特徴とする接地効果を有する電気コネクタ。
【考案の詳細な説明】
【技術分野】
【０００１】
本考案は、コネクタに関し、特に、接地効果を有する電気コネクタに関する。
【背景技術】
【０００２】
同軸ケーブルコネクタは、よく知られているように、一般に、インタフェースコネクタに接続され、同軸ケーブルと様々な電子機器とを電気的に接続するために用いる。
【０００３】
従来の同軸ケーブルコネクタは、いくつかの欠点を有する。コネクタの主な作用は、外導体とコネクタとを良好に接続させ、電気信号を伝達することであるが、従来技術の問題は、コネクタに接地不良が生じ、内スリーブとナットとの間で信号が途切れることである。図１を参照する。図１に示すように、Ｆシリーズのコネクタを従来のコネクタの代表例とする。Ｆ型コネクタ１０は、内スリーブ１１と、内スリーブ１１の外に同軸的に配置される外スリーブ１２と、ナット１３とを有する。ナット１３の末端には、回転方式で内スリーブ１１と外スリーブ１２との間に挟まれる内凸縁１４が設けられている。
【０００４】
コネクタ１０と同軸ケーブル１５の末端とを接続させるために、同軸ケーブル１５の自由端をコネクタ１０内に挿入すると、同軸ケーブル１５の内導体１６及び絶縁体１７は、内スリーブ１１内に位置し、外導体１８及び外皮１９は、内スリーブ１１と外スリーブ１２との間に配置され、コネクタ１０に組み合わされる。
【０００５】
同軸ケーブル１５が、コネクタ１０により、電子装置１に接続されるとき、ナット１３が回転されネジ部であるインタフェースコネクタ２に螺着されると、同軸ケーブル１５の内導体１６と電子装置１とは、電気的に接続される。
【０００６】
しかし、ナット１３がネジ部であるインタフェースコネクタ２に完全に螺着されないとき、内スリーブ１１とナット１３とが接触せず、信号が途切れる問題が生じる虞がある。
【０００７】
そのため、内スリーブとナットとの接触を維持し、良好な電気特性を有するコネクタが求められている。
【考案の概要】
【考案が解決しようとする課題】
【０００８】
本考案の目的は、内スリーブ上にＣ字型接触バネが配置されることにより、電子装置のインタフェースコネクタに安定して接地し、信号伝達の品質を確保し、良好な電気特性を有する接地効果を有する電気コネクタを提供することにある。
【課題を解決するための手段】
【０００９】
すなわち、本考案の接地効果を有する電気コネクタは、内スリーブ、外スリーブ、ナット及びＣ字型接触バネを備え、ケーブルをインタフェースコネクタがネジ部である電子装置に機械的及び電気的に接続する接地効果を有する電気コネクタであって、前記ケーブルは、内導体と、前記内導体を覆う絶縁体と、前記絶縁体の周囲に配置される少なくとも１つの外導体と、前記外導体を覆う外皮と、を有し、前記内スリーブ及び前記外スリーブは同軸状に中空を有し、前記内スリーブは、前記ケーブルの前記内導体及び前記絶縁体を収容し、前記外スリーブは、前記ケーブルの前記外導体及び前記外皮を収容し、前記内スリーブは、前端に設けられた外凸縁と、インタフェース部と、前記外凸縁と前記インタフェース部との間に位置するテーパー部と、後端延伸部と、を有し、前記ナットは、回転方式で前記電子装置のネジ部である前記インタフェースコネクタに螺着され、前記ナットの末端には内凸縁が設けられ、前記内凸縁には前記内スリーブの前記テーパー部の周囲に配置されるテーパー孔が設けられ、前記Ｃ字型接触バネは、前記内スリーブの前記テーパー部の周囲で上下に変位し、前記内スリーブと前記ナットとの接触を維持し、良好な接地性能を有するようにしたものとしている。
【考案の効果】
【００１０】
本考案の接地効果を有する電気コネクタは、内スリーブ上にＣ字型接触バネが配置されることにより、電子装置のインタフェースコネクタに安定して接地し、信号伝達の品質を確保し、良好な電気特性を得ることができる。
【図面の簡単な説明】
【００１１】
【図１】従来の接地効果を有する電気コネクタに同軸ケーブルが接続され、電子機器に取り付ける準備が完了したときの状態を示す部分断面図である。
【図２】本考案の一実施形態による接地効果を有する電気コネクタを示す断面図である。
【図３】本考案の一実施形態による接地効果を有する電気コネクタを示す分解斜視図である。
【図４Ａ】本考案の一実施形態による接地効果を有する電気コネクタを電子機器に取り付けるときのステップを示す分解断面図である。
【図４Ｂ】本考案の一実施形態による接地効果を有する電気コネクタを電子機器に取り付けるときのステップを示す部分断面図である。
【図４Ｃ】本考案の一実施形態による接地効果を有する電気コネクタを電子機器に取り付けるときのステップを示す部分断面図である。
【図５】本考案の一実施形態による接地効果を有する電気コネクタのナットとネジ部であるインタフェースコネクタとの間が緩むとき、Ｃ字型接触バネが内スリーブとナットとの接触を維持するときの状態を示す断面図である。
【考案を実施するための形態】
【００１２】
以下に、本考案の接地効果を有する電気コネクタを、図面に示す一実施形態に基づきこれを詳細に説明する。
【００１３】
図２及び図３を参照する。図２及び図３に示すように、本考案の一実施形態による接地効果を有する電気コネクタ２０は、内スリーブ２１、外スリーブ３０、ナット４０及びＣ字型接触バネ５０を有する。
【００１４】
内スリーブ２１には、同軸ケーブル６０の内導体６１及び絶縁体６２を収容する孔２２が設けられている（図４Ｂ参照）。内スリーブ２１は、前端の外凸縁２３と、インタフェース部２４と、外凸縁２３とインタフェース部２４との間に位置するテーパー部２５と、後端延伸部２６とを有する。
【００１５】
外スリーブ３０は、インタフェース部２４を取り囲む内凸縁３１と、内スリーブ２１の後端延伸部２６を同軸状に取り囲み、中間にリング状中空部３３が設けられる後端延伸部３２とを有する。後端延伸部３２は、後端延伸部２６との間に同軸ケーブル６０の外導体６３及び外皮６４を収容することができる（図４Ｂ参照）。
【００１６】
ナット４０は、接地効果を有する電気コネクタ２０の前端に位置している。ナット４０は、リング状端部４１と、六角部４２と、ナット４０の末端に位置し、回転方式で内スリーブ２１のテーパー部２５外に配置される内凸縁４３とを有する。リング状端部４１の内部には、ナット４０を電子装置７０のネジ部であるインタフェースコネクタ７１に螺着し、機械的に一体にし、電気的に接続するネジ孔４４が設けられている（図４Ｃ参照）。内凸縁４３の内側に設けられたテーパー孔４５は、内スリーブ２１のテーパー部２５に沿って、上下に変位する。
【００１７】
Ｃ字型接触バネ５０は、内スリーブ２１のテーパー部２５の周囲に配置され、ナット４０の内凸縁４３との間に良好な接触状態を維持している。これにより、内スリーブ２１とナット４０とは有効にかつ長期的に接触を維持し、良好な電気特性を有する。
【００１８】
Ｃ字型接触バネ５０は、内スリーブ２１のテーパー部２５の周囲で上下に変位し、内スリーブ２１とナット４０との接触を維持する。このため、ナット４０がネジ部であるインタフェースコネクタ７１に螺着されてもしっかりと螺着されなくても、Ｃ字型接触バネ５０が上下に変位することにより、内スリーブ２１は、ナット４０との接触を維持し、接地性能を確保する。
【００１９】
図４Ａ〜図４Ｃを参照する。図４Ａ〜図４Ｃに示すように、本考案の一実施形態による接地効果を有する電気コネクタを電子機器に取り付けるとき、ケーブル６０の自由端の外皮６４を部分的に取り除き、外導体６３を折り返し、絶縁体６２及び内導体６１を露出させてから、ケーブル６０の自由端を接地効果を有する電気コネクタ２０内に挿入する必要がある。ケーブル６０の自由端を挿入するとき、内スリーブ２１の後端延伸部２６は、ケーブル６０の絶縁体６２と外導体６３との間に挿入される。図４Ａを参照する。図４Ａに示すように、ケーブル６０と接地効果を有する電気コネクタ２０とを接続させた後、接地効果を有する電気コネクタ２０を利用し、同軸ケーブル６０を電子装置７０に接続させる。
【００２０】
図４Ｂを参照する。図４Ｂに示すように、ナット４０を回転させ、ネジ部であるインタフェースコネクタ７１をリング状端部４１のネジ孔４４に螺合させる。ナット４０を回転させるとき、Ｃ字型接触バネ５０は内凸縁４３により押され、ナット４０がインタフェースコネクタ７１に完全に螺着されるまで、上に向かって変位する。図４Ｃを参照する。図４Ｃに示すように、Ｃ字型接触バネ５０は、テーパー部２５の下端から上端まで移動し、外凸縁２３と六角部４２との間に位置することで、内スリーブ２１とナット４０との接触を維持する。
【００２１】
図５を参照する。図５に示すように、ナット４０とネジ部であるインタフェースコネクタ７１との間が環境要因又は外的要因により緩むとき（しっかりと締め付けられないとき）、Ｃ字型接触バネ５０は、ナット４０の変位に伴い、下に向かって移動する。このため、ナット４０がネジ部であるインタフェースコネクタ７１に螺着されるときでもしっかりと螺着されないときでも、Ｃ字型接触バネ５０が上下に変位することにより、内スリーブ２１とナット４０との接触を維持し、信号伝達の品質を確保し、良好な電気特性を有することができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１    電子装置
２    ネジ部であるインタフェースコネクタ
１０  コネクタ
１１  内スリーブ
１２  外スリーブ
１３  ナット
１４  内凸縁
１５  同軸ケーブル
１６  内導体
１７  絶縁体
１８  外導体
１９  外皮
２０  接地効果を有する電気コネクタ
２１  内スリーブ
２２  孔
２３  外凸縁
２４  インタフェース部
２５  テーパー部
２６  後端延伸部
３０  外スリーブ
３１  内凸縁
３２  後端延伸部
３３  リング状中空部
４０  ナット
４１  リング状端部
４２  六角部
４３  内凸縁
４４  ネジ孔
４５  テーパー孔
５０  Ｃ字型接触バネ
６０  ケーブル
６１  内導体
６２  絶縁体
６３  外導体
６４  外皮
７０  電子装置
７１  インタフェースコネクタ
【図１】
0003168264.tif 000003
【図２】
0003168264.tif 000004
【図３】
0003168264.tif 000005
【図４Ａ】
0003168264.tif 000006
【図４Ｂ】
0003168264.tif 000007
【図４Ｃ】
0003168264.tif 000008
【図５】
0003168264.tif 000009